(57)【要約】      （修正有）【課題】部品点数の削減を図り、簡易かつ安価な構成のインターホンシステムを提供する。【解決手段】インターホン親機２は、在室者の音声が入力され親機音声信号を生成する送話機能及びインターホン子機１から伝送されてくる子機音声信号をもとに来訪者の音声を出力する受話機能のうち何れか１の機能が能動となる親機音響・電気変換トランスジューサ２０と、親機音響・電気変換トランスジューサが有する送話機能により生成された親機音声信号の音圧レベルとインターホン子機１から伝送されてくる子機音声信号の音圧レベルとを比較し、そのレベル差に伴い当該親機の送話状態又は受話状態を検出する親機ボイススイッチ２１と、親機ボイススイッチ２１により制御され、親機音響・電気変換トランスジューサ２０が有する送話機能及び受話機能のうち何れか１の機能を能動とするために切換えられる親機切換部２２とを備えている。【選択図】図１
2015091016.tif 000002
【特許請求の範囲】
【請求項１】
住戸外に設置され来訪者が住戸内の在室者を呼出して通話を行うインターホン子機と、前記住戸内に設置され前記来訪者からの呼出しに応答した前記在室者が通話を行うインターホン親機とを有するインターホンシステムであって、
前記インターホン親機は、前記在室者の音声が入力され親機音声信号を生成する送話機能及び前記インターホン子機から伝送されてくる子機音声信号をもとに前記来訪者の音声を出力する受話機能のうち何れか１の機能が能動となる親機音響・電気変換トランスジューサと、前記親機音響・電気変換トランスジューサが有する前記送話機能により生成された前記親機音声信号の音圧レベルと前記インターホン子機から伝送されてくる前記子機音声信号の音圧レベルとを比較し、そのレベル差に伴い当該親機の送話状態又は受話状態を検出する親機ボイススイッチと、前記親機ボイススイッチにより制御され、前記親機音響・電気変換トランスジューサが有する前記送話機能及び前記受話機能のうち何れか１の機能を能動とするために切換えられる親機切換部とを備えることを特徴とするインターホンシステム。
【請求項２】
前記親機ボイススイッチは、前記親機音響・電気変換トランスジューサが有する前記送話機能により生成された前記親機音声信号の音圧レベルが閾値レベル未満である時間が一定時間以内であるときには前記親機音響・電気変換トランスジューサが有する前記送話機能を能動のまま保持することを特徴とする請求項１記載のインターホンシステム。
【請求項３】
住戸外に設置され来訪者が住戸内の在室者を呼出して通話を行うインターホン子機と、前記住戸内に設置され前記来訪者からの呼出しに応答した前記在室者が通話を行うインターホン親機とを有するインターホンシステムであって、
前記インターホン子機は、前記来訪者の音声が入力され子機音声信号を生成する送話機能及び前記インターホン親機から伝送されてくる親機音声信号をもとに前記在室者の音声を出力する受話機能のうち何れか１の機能が能動となる子機音響・電気変換トランスジューサと、前記子機音響・電気変換トランスジューサが有する前記送話機能により生成された前記子機音声信号の音圧レベルと前記インターホン親機から伝送されてくる前記親機音声信号の音圧レベルとを比較し、そのレベル差に伴い当該子機の送話状態又は受話状態を検出する子機ボイススイッチと、前記子機ボイススイッチにより制御され、前記子機音響・電気変換トランスジューサが有する前記送話機能及び前記受話機能のうち何れか１の機能を能動とするために切換えられる子機切換部とを備えることを特徴とするインターホンシステム。
【請求項４】
前記子機ボイススイッチは、前記子機音響・電気変換トランスジューサが有する前記送話機能により生成された前記子機音声信号の音圧レベルが閾値レベル未満である時間が一定時間以内であるときには前記子機音響・電気変換トランスジューサが有する前記送話機能を能動のまま保持することを特徴とする請求項３載のインターホンシステム。
【発明の詳細な説明】
【技術分野】
【０００１】
本発明は、インターホンシステムに係わり、特に、ボイススイッチを備えた拡声通話式インターホンシステムに関する。
【背景技術】
【０００２】
従来から、この種のインターホンシステムとして、図３に示すような構成の拡声自動交互通話式インターホンシステムが知られている（例えば、特許文献１等）。
【０００３】
同図において、従来のインターホンシステムは、住戸玄関に設置され子機マイク５０、子機スピーカ５１、子機送話アンプ５２、子機受話アンプ５３および子機ハイブリット回路５４を有するインターホン子機５と、住戸内に設置され親機マイク６０、親機スピーカ６１、親機送話アンプ６２、親機受話アンプ６３、親機ボイススイッチ６４および親機ハイブリット回路６５を有するインターホン親機６とを備えており、インターホン子機５とインターホン親機６とはペア線からなる伝送路Ｌ５を介して接続されている。
【０００４】
このように構成されたインターホンシステムにおいては、住戸内に在室中の居住者が、住戸玄関に居る来訪者との通話（拡声通話）を成立させるためにインターホン親機６の親機マイク６０に収音した送話音は、電気信号をなす音声信号（以下、「親機送話音信号」という。）に変換され、この親機送話音信号は、親機送話アンプ６２を介して親機ボイススイッチ６４に伝送される。
【０００５】
一方、住戸玄関に居る来訪者が、住戸内に在室中の居住者との通話（拡声通話）を成立させるためにインターホン子機５の子機マイク５０に収音した送話音は、電気信号をなす音声信号（以下、「子機送話音信号」という。）に変換され、この子機送話音信号は、子機話アンプ５２、子機ハイブリット回路５４、伝送路Ｌ５、親機ハイブリット回路６５を介して親機ボイススイッチ６４に伝送される。
【０００６】
ここで、親機ボイススイッチ６４は、入力された親機送話音信号の信号レベル（以下、「音圧レベル」という。）と子機送話音信号の音圧レベルとを比較して次のようにして送話状態、受話状態を切換える。
【０００７】
即ち、親機送話音信号の音圧レベルが子機送話音信号の音圧レベルよりも大きい場合には、親機ボイススイッチ６４から親機ハイブリット回路６５、伝送路Ｌ５、子機ハイブリット回路５４、子機受話アンプ５３を介して子機スピーカ５１への通話路（以下、「送話通話路」という。）を形成し、親機ボイススイッチ６４から親機受話アンプ６３を介して親機スピーカ６１への通話路（以下、「受話通話路」という。）は遮断することにより送話状態となり、住戸内に在室中の居住者からの受話音を子機スピーカ５１にて放音させることができる。
【０００８】
一方、親機送話音信号の音圧レベルが子機送話音信号の音圧レベルよりも小さい場合には、上述の受話通話路を形成し送話通話路は遮断することにより受話状態となり、住戸玄関に居る来訪者からの受話音を親機スピーカ６１にて放音させることができる。
【０００９】
このような構成のインターホンシステムにおいては、親機ボイススイッチ６４により、当該インターホンインターホン親機６の親機マイク６０に収音された室内の居住者からの送話音の音圧レベルと、当該インターホン子機５の子機マイク５０に収音され伝送路Ｌ５を介した玄関に居る来訪者からの受話音の音圧レベルとを比較して送話状態、受話状態を切換え、音圧レベルが大きい音声を優先的に当該インターホン子機５の子機スピーカ５１または当該インターホンインターホン親機６の親機スピーカ６１にて放音させることができる。
【先行技術文献】
【特許文献】
【００１０】
【特許文献１】特開２００９−１３５５９６号公報
【発明の概要】
【発明が解決しようとする課題】
【００１１】
しかしながら、このような従来のインターホンシステムにおいては、音圧レベルが大きい音声を優先する、いわゆる入力音量優先の親機ボイススイッチを使用しているため、マイクおよびスピーカの搭載が必須になり、ひいては必然的に部品点数が多くなることから構成が複雑で高価になるという難点があった
本発明は、このような難点を解決するためになされたもので、従来のマイクおよびスピーカに代えて、所定の機能を有する親機音響・電気変換トランスジューサ又は子機音響・電気変換トランスジューサを搭載することにより、部品点数の削減を図り、ひいては簡易かつ安価な構成のインターホンシステムを提供することを目的としている。
【課題を解決するための手段】
【００１２】
本発明の第１の態様であるインターホンシステムは、住戸外に設置され来訪者が住戸内の在室者を呼出して通話を行うインターホン子機と、住戸内に設置され来訪者からの呼出しに応答した在室者が通話を行うインターホン親機とを有するインターホンシステムであって、インターホン親機は、在室者の音声が入力され親機音声信号を生成する送話機能及びインターホン子機１から伝送されてくる子機音声信号をもとに来訪者の音声を出力する受話機能のうち何れか１の機能が能動となる親機音響・電気変換トランスジューサと、親機音響・電気変換トランスジューサが有する送話機能により生成された親機音声信号の音圧レベルとインターホン子機１から伝送されてくる子機音声信号の音圧レベルとを比較し、そのレベル差に伴い当該親機の送話状態又は受話状態を検出する親機ボイススイッチと、親機ボイススイッチにより制御され、親機音響・電気変換トランスジューサが有する送話機能及び受話機能のうち何れか１の機能を能動とするために切換えられる親機切換部とを備えるものである。
【００１３】
本発明の第２の態様は、第１の態様であるインターホンシステムにおいて、親機ボイススイッチは、親機音響・電気変換トランスジューサが有する送話機能により生成された親機音声信号の音圧レベルが閾値レベル未満である時間が一定時間以内であるときには親機音響・電気変換トランスジューサが有する送話機能を能動のまま保持するものである。
【００１４】
本発明の第３の態様であるインターホンシステムは、住戸外に設置され来訪者が住戸内の在室者を呼出して通話を行うインターホン子機と、住戸内に設置され来訪者からの呼出しに応答した在室者が通話を行うインターホン親機とを有するインターホンシステムであって、インターホン子機は、来訪者の音声が入力され子機音声信号を生成する送話機能及びインターホン親機から伝送されてくる親機音声信号をもとに在室者の音声を出力する受話機能のうち何れか１の機能が能動となる子機音響・電気変換トランスジューサと、子機音響・電気変換トランスジューサが有する送話機能により生成された子機音声信号の音圧レベルとインターホン親機から伝送されてくる親機音声信号の音圧レベルとを比較し、そのレベル差に伴い当該子機の送話状態又は受話状態を検出する子機ボイススイッチと、子機ボイススイッチにより制御され、子機音響・電気変換トランスジューサが有する送話機能及び受話機能のうち何れか１の機能を能動とするために切換えられる子機切換部とを備えるものである。
【００１５】
本発明の第４の態様は、第３の態様であるインターホンシステムにおいて、子機ボイススイッチは、子機音響・電気変換トランスジューサが有する送話機能により生成された子機音声信号の音圧レベルが閾値レベル未満である時間が一定時間以内であるときには子機音響・電気変換トランスジューサが有する送話機能を能動のまま保持するものである。
【発明の効果】
【００１６】
本発明のインターホンシステムによれば、従来のマイクおよびスピーカに代えて、所定の機能を有する親機音響・電気変換トランスジューサ又は子機音響・電気変換トランスジューサを搭載していることから、従来のインターホンシステムよりも部品点数の削減を図ることができ、ひいては簡易かつ安価な構成のインターホンシステムを提供することができる。
【図面の簡単な説明】
【００１７】
【図１】本発明の一実施例におけるインターホンシステムのブロック図。
【図２】本発明の他の実施例におけるインターホンシステムのブロック図。
【図３】従来のインターホンシステムのブロック図。
【発明を実施するための形態】
【００１８】
以下、本発明のインターホンシステムを拡声自動交互通話式インターホン装置に適用した最良の実施の形態例について、図面を参照して説明する。
【００１９】
図１は、本発明の一実施例におけるインターホンシステムの全体構成を示すブロック図である。
【００２０】
同図において、本発明のインターホンシステムは、住戸外に設置され来訪者が住戸内の在室者を呼出して通話を行うインターホン子機１と、住戸内に設置され来訪者からの呼出しに応答した在室者が通話を行うインターホン親機２とを備えており、インターホン子機１とインターホン親機２とは、ペア線からなる伝送路Ｌ1を介して接続されている。
【００２１】
インターホン子機１は、住戸玄関に居る来訪者が住戸内に在室中の居住者との通話（拡声通話）を成立させるための送話音を収音する子機マイク１０と、受話音を放音する子機スピーカ１１と、子機マイク１０に収音され電気信号に変換された送話音をなす音声信号を増幅するための子機送話アンプ１２と、子機スピーカ１１にて放音される受話音をなす音声信号を増幅するための子機受話アンプ１３と、子機送話アンプ１２で増幅され電気信号に変換された送話音をなす音声信号を４線２線変換して伝送路Ｌ1に送出するとともに、インターホン親機２から伝送路Ｌ1を介して伝送されてくる受話音をなす音声信号を２線４線変換し、子機受話アンプ１３を介して子機スピーカ１１に送出するための子機ハイブリット回路１４とを備えている。
【００２２】
インターホン親機２は、在室者の音声が入力され親機音声信号を生成する送話機能及びインターホン子機１から伝送されてくる子機音声信号をもとに来訪者の音声を出力する受話機能のうち何れか１の機能が能動となる親機音響・電気変換トランスジューサ２０と、親機音響・電気変換トランスジューサ２０が有する送話機能により生成された親機音声信号の音圧レベルとインターホン子機１から伝送されてくる子機音声信号の音圧レベルとを比較し、そのレベル差に伴い当該親機の送話状態又は受話状態を検出する親機ボイススイッチ２１と、親機ボイススイッチ２１により制御され、親機音響・電気変換トランスジューサ２０が有する送話機能及び受話機能のうち何れか１の機能を能動とするために切換えられる親機切換部２２と、親機音響・電気変換トランスジューサ２０が有する送話機能により生成された親機音声信号を増幅するための親機送話アンプ２３と、子機マイク１０にて収音される受話音をなす音声信号を増幅するための親機受話アンプ２４と、親機ボイススイッチ２１を介した送話音をなす音声信号の増幅機能を備え、送話音をなす音声信号を４線２線変換して伝送路Ｌ1に送出するとともに、インターホン子機１から伝送路Ｌ1を伝送されてくる受話音をなす音声信号を２線４線変換して親機ボイススイッチ２１に送出するための親機ハイブリット回路２５とを備えている。ここで、親機切換部２２は、親機音響・電気変換トランスジューサ２０に接続されるコモン端子ｃと、親機送話アンプ２３に接続される第１のメーク接点Ｍ１と、親機受話アンプ２４に接続される第２のメーク接点Ｍ２とを備えている。また、親機ボイススイッチ２１は、親機音響・電気変換トランスジューサ２０が有する送話機能により生成された親機音声信号の音圧レベルが閾値レベル未満である時間が一定時間以内であるときには親機音響・電気変換トランスジューサ２０が有する送話機能を能動のまま保持する機能を有している。
【００２３】
次に、このように構成された本発明の一実施例によるインターホンシステムの動作について説明する。
【００２４】
図１において、先ず、待受状態においては、親機音響・電気変換トランスジューサ２０が有する送話機能を能動とすべく、親機切換部２２のコモン端子ｃが第１のメーク接点Ｍ１側（親機送話アンプ２３側）に切り替えられている。
【００２５】
このように親機音響・電気変換トランスジューサ２０が有する送話機能が能動となるように設定された状態において、住戸内に在室中の居住者が、住戸玄関に居る来訪者との通話（拡声通話）を成立させるためにインターホン親機２の親機音響・電気変換トランスジューサ２０が有する送話機能により生成された親機音声信号は親機送話アンプ２３に送出される。また、親機送話アンプ２３は、親機音響・電気変換トランスジューサ２０からの親機送話音信号を増幅して親機ボイススイッチ２１に送出する。
【００２６】
一方、住戸玄関に居る来訪者が、住戸内に在室中の居住者との通話（拡声通話）を成立させるためにインターホン子機１の子機マイク１０に収音した送話音は、子機送話アンプ１２に送出される。また、子機送話アンプ１２は子機マイク１０からの送話音を増幅し、電気信号に変換された音声信号（子機送話音信号）として子機ハイブリット回路１４に送出する。また、子機ハイブリット回路１４は、子機マイク１０からの子機送話音信号を４線２線変換して伝送路Ｌ1に送出する。
【００２７】
インターホン親機２の親機ハイブリット回路２５は、インターホン子機１から伝送路Ｌ1を介して伝送されてきた子機送話音信号を２線４線変換して親機ボイススイッチ２１に送出する。
【００２８】
ここで、インターホン親機２の親機ボイススイッチ２１は、親機音響・電気変換トランスジューサ２０が有する送話機能により生成された親機音声信号の音圧レベルとインターホン子機１から伝送されてくる子機音声信号の音圧レベルとを比較し、そのレベル差に伴い当該親機の送話状態又は受話状態を検出する。
【００２９】
即ち、親機送話音信号の音圧レベルが子機送話音信号の音圧レベルよりも大きい場合には、親機切換部２２は、親機ボイススイッチ２１の制御により、親機音響・電気変換トランスジューサ２０が有する送話機能を能動とするために親機送話アンプ２３へ切り替えられるところ、本実施例ではすでに親機音響・電気変換トランスジューサ２０が有する送話機能が能動とされているため、当該送話機能がそのままが保持される。
【００３０】
これにより、親機ボイススイッチ２１から親機ハイブリット回路２５、伝送路Ｌ1、インターホン子機１の子機ハイブリット回路１４、子機受話アンプ１３を介して子機スピーカ１１への通話路（送話通話路）を形成し、親機ボイススイッチ２１から親機受話アンプ２４を介して親機音響・電気変換トランスジューサ２０への通話路（受話通話路）は遮断することにより送話状態となり、住戸内に在室中の居住者からの受話音を子機スピーカ１１にて放音させることができる。
【００３１】
ここで、親機ボイススイッチ２１の機能により、親機音響・電気変換トランスジューサ２０が有する送話機能により生成された親機音声信号の音圧レベルが閾値レベル未満（例えば、６８ｄＢ程度）である時間が一定時間以内（例えば、０.０５秒程度）であるときには、親機音響・電気変換トランスジューサ２０が有する送話機能が能動のまま保持される。
【００３２】
一方、親機送話音信号の音圧レベルが子機送話音信号の音圧レベルよりも小さい場合には、親機切換部２２は、親機ボイススイッチ２１の制御により、親機音響・電気変換トランスジューサ２０が有する受話機能を能動とするために、親機切換部２２のコモン端子ｃが第２のメーク接点Ｍ２側（親機受話アンプ２４側）に切り替えられる。
【００３３】
これにより、上述の受話通話路を形成し送話通話路は遮断することにより受話状態となり、住戸玄関に居る来訪者からの受話音を親機音響・電気変換トランスジューサ２０にて放音させることができる。
【００３４】
以上の説明から明らかなように、本発明のインターホンシステムによれば、従来の親機マイクおよび親機スピーカに代えて搭載された親機音響・電気変換トランスジューサ２０が、在室者の音声が入力され親機音声信号を生成する送話機能及びインターホン子機１から伝送されてくる子機音声信号をもとに来訪者の音声を出力する受話機能のうち何れか１の機能が能動となる機能を有することから、従来の必須構成であった親機マイクおよび親機スピーカを不要とするこができ、ひいては部品点数の削減を図ることで簡易かつ安価な構成のインターホンシステムを提供することができる。
【００３５】
図２は、本発明の他の実施例におけるインターホンシステムの全体構成を示すブロック図である。
【００３６】
図２において、この実施例におけるインターホンシステムは、住戸外に設置され来訪者が住戸内の在室者を呼出して通話を行うインターホン子機３と、住戸内に設置され来訪者からの呼出しに応答した在室者が通話を行うインターホン親機４とを備えており、インターホン子機３とインターホン親機４とは、ペア線からなる伝送路Ｌ３を介して接続されている。
【００３７】
インターホン子機３は、来訪者の音声が入力され子機音声信号を生成する送話機能及びインターホン親機から伝送されてくる親機音声信号をもとに在室者の音声を出力する受話機能のうち何れか１の機能が能動となる子機音響・電気変換トランスジューサ３０と、子機音響・電気変換トランスジューサ３０が有する送話機能により生成された子機音声信号の音圧レベルとインターホン親機から伝送されてくる親機音声信号の音圧レベルとを比較し、そのレベル差に伴い当該子機の送話状態又は受話状態を検出する子機ボイススイッチ３１と、子機ボイススイッチ３１により制御され、子機音響・電気変換トランスジューサ３０が有する送話機能及び受話機能のうち何れか１の機能を能動とするために切換えられる子機切換部３２と、子機音響・電気変換トランスジューサ３０が有する送話機能により生成された子機音声信号を増幅するための子機送話アンプ３３と、子機音響・電気変換トランスジューサ３０にて放音される受話音をなす音声信号を増幅するための子機受話アンプ３４と、子機ボイススイッチ３１を介した送話音をなす音声信号を４線２線変換して伝送路Ｌ1に送出するとともに、インターホン親機４から伝送路Ｌ３を伝送されてくる受話音をなす音声信号を２線４線変換して子機ボイススイッチ３１に送出するための子機ハイブリット回路３５とを備えている。ここで、子機切換部３２は、子機音響・電気変換トランスジューサ３０に接続された子機コモン端子ｃ´と、子機送話アンプ３３に接続される第１の子機メーク接点Ｍ１´と、子機受話アンプ３４に接続される第２の子機メーク接点Ｍ２´とを備えている。また、子機ボイススイッチ３１は、子機音響・電気変換トランスジューサ３０が有する送話機能により生成された子機音声信号の音圧レベルが閾値レベル未満である時間が一定時間以内であるときには子機音響・電気変換トランスジューサ３０が有する送話機能を能動のまま保持する機能を有している。
【００３８】
インターホン親機２は、住戸内に在室中の居住者が住戸玄関に居る来訪者との通話（拡声通話）を成立させるための送話音を収音する親機マイク４０と、受話音を放音する親機スピーカ４１と、親機マイク４０に収音され電気信号に変換された送話音をなす音声信号を増幅するための親機送話アンプ４２と、親機スピーカ４１にて放音される受話音をなす音声信号を増幅するための親機受話アンプ４３と、親機送話アンプ４２で増幅され電気信号に変換された送話音をなす音声信号を４線２線変換して伝送路Ｌ３に送出するとともに、インターホン子機３から伝送路Ｌ３を介して伝送されてくる受話音をなす音声信号を２線４線変換し、親機受話アンプ４３を介して親機スピーカ４１に送出するための親機ハイブリット回路４４とを備えている。
【００３９】
この実施例においては、子機音響・電気変換トランスジューサ３０、子機ボイススイッチ３１および子機切換部３２がそれぞれ第１の実施例における親機音響・電気変換トランスジューサ２０、親機ボイススイッチ２１および親機切換部２２と同様の機能を有しており、従来の子機マイクおよび子機スピーカに代えて搭載された子機音響・電気変換トランスジューサ３０が、来訪者の音声が入力され子機音声信号を生成する送話機能及び前記インターホン親機４から伝送されてくる親機音声信号をもとに在室者の音声を出力する受話機能のうち何れか１の機能が能動となる機能を有することから、従来の必須構成であった子機マイクおよび子機スピーカを不要とするこができ、ひいては部品点数の削減を図ることで簡易かつ安価な構成のインターホンシステムを提供することができる。
【００４０】
本発明のインターホンシステムにおいては、特定の実施の形態をもって説明してきたが、この形態に限定されるものでなく、本発明の効果を奏する限り、これまで知られた如何なる構成のインターホンシステムであっても採用できるということはいうまでもないことである。
【符号の説明】
【００４１】
１・・・インターホン子機
２・・・インターホン親機
２０・・・親機音響・電気変換トランスジューサ
２１・・・親機ボイススイッチ
２２・・・親機切換部
３・・・インターホン子機
３０・・・子機音響・電気変換トランスジューサ
３１・・・親機ボイススイッチ
３２・・・親機切換部
４・・・インターホン親機
【図１】
2015091016.tif 000003
【図２】
2015091016.tif 000004
【図３】
2015091016.tif 000005